(57)【特許請求の範囲】
【請求項１】
前面に開口部を有し、内部にその開口部に連なる収納室を有するキャビネット本体と、
このキャビネット本体の前記開口部の角部を構成する一方側の辺部と他方側の辺部とに内設された補強板と具備し、
前記両辺部の補強板が一体化されて剛体化されており、
キャビネット本体の開口部の角部を構成する一方側の辺部が上辺部であり、他方側の辺部が側辺部であって、そのうちの上辺部に内設された補強板が、上辺部の前面を構成する前面板に一体化されており、
前記補強板はその奥側への動きが規制部により規制されており、
前記補強板が配置された前記キャビネット本体には真空断熱パネルが前記補強板の奥側に配置されており、
前記補強板は前記キャビネット本体の前側に配置されており、
前記キャビネット本体の前側には前記開口部を開閉する扉が配置されており、
前記キャビネット本体は直方体であることを特徴とする断熱キャビネット。
【請求項２】
補強板が、角部で、それら補強板より幅広な接続部で一体化されていることを特徴とする請求項１に記載の断熱キャビネット。
【請求項３】
キャビネット本体の側壁部と天井壁部又は底壁部とが合わさる部分が他の部分より厚くなっていて、その厚くなった部分に、補強板を一体化した接続部が内設されていることを特徴とする請求項２に記載の断熱キャビネット。
【請求項４】
補強板の角部が、キャビネット本体に締結部品により締結されていることを特徴とする請求項１から３のいずれか一項に記載の断熱キャビネット。
【請求項５】
キャビネット本体の最上部に、キャビネット本体の開口部を回動により開閉する扉を枢支するヒンジがあって、そのヒンジを固定するヒンジ固定板と補強板が一体化されていることを特徴とする請求項１から４のいずれか一項に記載の断熱キャビネット。
【請求項６】
前記規制部が、キャビネット本体の開口部の側辺部に取付けられた副補強板に形成されていることを特徴とする請求項１から５のいずれか一項に記載の断熱キャビネット。
【請求項７】
キャビネット本体の開口部の側辺部に内設される補強板の、両側部品との隙間が、キャビネット本体の開口部を回動により開閉する扉がその裏側に有する突部をキャビネット本体の変形でキャビネット本体に接させる寸法以下に定められていることを特徴とする請求項１から６のいずれか一項に記載の断熱キャビネット。
【請求項８】
キャビネット本体が冷蔵庫用であって、冷凍サイクルのコンプレッサがキャビネット本体の後上部に搭載されていることを特徴とする請求項１から７のいずれか一項に記載の断熱キャビネット。
【請求項９】
キャビネット本体の開口部の側辺部に内設される補強板の先端部が、キャビネット本体の収納室に配設される最上段の棚より下方に位置することを特徴とする請求項１、２、４から８のいずれか一項に記載の断熱キャビネット。
【請求項１０】
キャビネット本体が冷蔵庫用であって、冷凍サイクルのコンプレッサがキャビネット本体の後上部に搭載されており、キャビネット本体の開口部の側辺部に内設される補強板の先端部が、キャビネット本体のコンプレッサ搭載面より下方に位置することを特徴とする請求項１から９のいずれか一項に記載の断熱キャビネット。
【請求項１１】
キャビネット本体が、各壁部を分割して形成し、その各壁部を接合して組成されていることを特徴とする請求項１から１０のいずれか一項に記載の断熱キャビネット。
【発明の詳細な説明】
【技術分野】
【０００１】
本発明の実施形態は断熱キャビネットに関する。
【背景技術】
【０００２】
近年、例えば家庭用の冷蔵庫は大容量化の傾向にあり、それを外形寸法の増大を抑制しつつ実現するために、断熱キャビネットの周壁の厚さを小さくすることが行われている。この場合、その厚さの小さい周壁でも、キャビネットには断熱性能を充分に確保する必要があり、そのために、キャビネットの周壁には、発泡断熱材を充填するのに加えて、断熱パネル例えば真空断熱パネルを使用することが行われており、更にはキャビネットの周壁を真空断熱パネルを充填するだけで構成するようにしたものもある（例えば特許文献１、２参照）。
【０００３】
真空断熱パネルは、例えば細いガラス繊維の綿状物であるグラスウールをマット状にしてコア材とし、このコア材をアルミニウム箔と合成樹脂とのラミネートフィルムで製袋したガスバリア容器に挿入し、内部を真空排気して開口を閉塞することにより、容器内部を真空減圧状態に保持したパネルであり、薄くて低い熱伝導率（高い断熱性）を保有しているので、これを使用することで、断熱キャビネットの周壁の厚さを小さくしつつ高い断熱性能を得ることができる。
【先行技術文献】
【特許文献】
【０００４】
【特許文献１】特許第２７２８３１８号公報
【特許文献２】特開平６−１４７７４４号公報
【発明の概要】
【発明が解決しようとする課題】
【０００５】
しかしながら、周壁の厚さを小さくした断熱キャビネットは、全体の剛性に乏しく、変形しやすいものである。図２２はその様子を極端な形で示しており、周壁１ａの厚さを小さくした断熱キャビネット１が、正面より見て左倒れに変形している（反対に右倒れに変形する場合もある）。これには、断熱キャビネット１が、前面に開口部２を有し、内部にその開口部２に連なる収納室３を有する形状であることもその一因となっており、更に、断熱キャビネット１の前面部に、扉４がそれぞれ外側の上下部を図示しないヒンジにより枢支されて、そのヒンジを中心とした回動により開閉されるようになっているのも又その一因となっている。
しかして、このように断熱キャビネット１が変形するようであると、使用には耐え難い。
【０００６】
そこで、周壁の厚さが小さくても、変形を効果的に防止して、使用に耐え得る断熱キャビネットを提供する。
【課題を解決するための手段】
【０００７】
本実施形態の断熱キャビネットにおいては、前面に開口部を有し、内部にその開口部に連なる収納室を有するキャビネット本体と、このキャビネット本体の前記開口部の角部を構成する一方側の辺部と他方側の辺部とに内設された補強板と具備し、前記両辺部の補強板が一体化されて剛体化されている。キャビネット本体の開口部の角部を構成する一方側の辺部が上辺部であり、他方側の辺部が側辺部であって、そのうちの上辺部に内設された補強板が、上辺部の前面を構成する前面板に一体化されている。前記補強板はその奥側への動きが規制部により規制されており、前記補強板が配置された前記キャビネット本体には真空断熱パネルが前記補強板の奥側に配置されている。前記補強板は前記キャビネット本体の前側に配置されており、前記キャビネット本体の前側には前記開口部を開閉する扉が配置されている。更に、前記キャビネット本体は直方体であることを特徴とする。
【図面の簡単な説明】
【０００８】
【図１】第１の実施形態を示す、キャビネット本体と補強板との分解斜視図
【図２】補強板の前方からの斜視図
【図３】補強板の後方からの斜視図
【図４】キャビネット本体上側の左側角部の斜視図
【図５】図４のV−V線に沿う横断面図
【図６】キャビネット本体上部の正面図
【図７】断熱キャビネット（冷蔵庫）の側面図
【図８】キャビネット本体の左右両側壁間を補強する、片側部分の縦断正面図
【図９】キャビネット本体の模式的斜視図
【図１０】キャビネット本体の組立て前の模式的斜視図
【図１１】キャビネット本体の縦断側面図
【図１２】キャビネット本体の縦断正面図
【図１３】図１１のXIII部分の拡大図
【図１４】図１２のXIV部分の、一部を省略した拡大図
【図１５】図１１のXV部分の拡大図
【図１６】図１２のXVI部分の、一部を省略した拡大図
【図１７】図１２のXVII−XVII線に沿う奥部の、一部を省略した横断面図
【図１８】第２の実施形態を示すキャビネット本体の斜視図
【図１９】第３の実施形態を示す図５相当図
【図２０】第４の実施形態を示す図１８相当図
【図２１】第５の実施形態を示す図１８相当図
【図２２】従来例の変形の様子を極端な形で示す正面図
【発明を実施するための形態】
【０００９】
以下、冷蔵庫の断熱キャビネットに適用して、その第１の実施形態につき、図１ないし図１７を参照して説明する。
まず、図９には、断熱キャビネットのキャビネット本体１１を模式的に示しており、このキャビネット本体１１は、この場合、図１０に示すように、周壁を、天井壁部１１ａと、底壁部１１ｂ、左側壁部１１ｃ、右側壁部１１ｄ、及び奥壁部１１ｅの別に分割して形成し、それらを接合することにより組成したもので、全体には、図９に示すように、前面に開口部１２を有するほゞ直方体の箱状を成し、内部にその開口部に連なる収納室１３を有している。
【００１０】
上記各壁部１１ａ〜１１ｅについて詳述すると、図１１に示すように、天井壁部１１ａは、基本的には、これの外殻１４と内殻１５との間に真空断熱パネル１６を配設すると共に、その内側の残り空間に発泡断熱材１７を充填して構成したものであり、底壁部１１ｂも又、基本的には、これの外殻１８と内殻１９との間に真空断熱パネル２０を配設すると共に、その内側の残り空間に発泡断熱材１７を充填して構成したものである。すなわち、これら天井壁部１１ａと底壁部１１ｂは、充填する断熱材をほゞ真空断熱パネルのみとして構成している。
【００１１】
これに対して、左側壁部１１ｃは、図１２に示すように、基本的には、これの外殻２１と内殻２２との間に真空断熱パネル２３を充填するだけで構成したものであり、右側壁部１１ｄも又、図１２に示すように、これの外殻２４と内殻２５との間に真空断熱パネル２６を充填するだけで構成したものであり、更に奥壁部１１ｅも、図１１に示すように、これの外殻２７と内殻２８との間に真空断熱パネル２９を充填するだけで構成したものである。すなわち、これら左側壁部１１ｃと右側壁部１１ｄ及び奥壁部１１ｅは、充填する断熱材を真空断熱パネルのみとして構成している。
【００１２】
この場合、各外板相当の外殻１４，１８，２１，２４，２７は例えば鋼板等の金属製であり、各内板相当の内殻１５，１９，２２，２５，２８は例えばプラスチック製である。
【００１３】
詳細には、天井壁部１１ａでは、真空断熱パネル１６を外殻１４の内面に貼着している。又、この天井壁部１１ａの外殻１４と内殻１５は、互いの各前端部を接合しており、後部においては凹段部３０を形成し、この凹段部３０を含む屈曲部には発泡断熱材１７を充填するだけで、真空断熱パネルを配設してはいない。但し、薄い真空断熱パネルを配設しても良い。
【００１４】
凹段部３０の後縁部においては、内殻１５に図１３に示す斜状部３１を左右の全長にわたり形成し、左側縁部及び右側縁部においては、内殻１５に図１４に示す斜状部３２，３３を前後の全長にわたり形成して、ともに真空断熱パネル１６から離間させている。又、その斜状部３２，３３には、それによる後述の空間Ｓ4，Ｓ5の前面部を閉塞する三角形の閉塞部３２ａ，３３ａを、図１及び図４に示すように、一体に形成している。
【００１５】
これに対して、底壁部１１ｂでは、真空断熱パネル２０を外殻１８の内面に貼着している。又、この底壁部１１ｂの外殻１８と内殻１９も、互いの各前端部を接合しており、後縁部においては、内殻１９に図１５に示す斜状部３４を左右の全長にわたり形成して真空断熱パネル２０から離間させ、左側縁部及び右側縁部においては、内殻１９に図１６に示す斜状部３５，３６を前後の全長にわたり形成して、真空断熱パネル２０から離間させている。
【００１６】
左側壁部１１ｃでは、外殻２１及び内殻２２の両内面に真空断熱パネル２３を貼着している。又、この左側壁部１１ｃの外殻２１と内殻２２も、互いの各前縁部を接合しており、外殻２１の上下の両縁部と後縁部には、図１４、図１６及び図１７に示すように、それぞれ内側へほゞ直角の折曲部３７，３８，３９を形成し、内殻２２の後縁部に、図１７に示すように、同じく内側へほゞ直角の折曲部４０を形成している。
【００１７】
右側壁部１１ｄでは、外殻２４及び内殻２５の両内面に真空断熱パネル２６を貼着している。又、この右側壁部１１ｄの外殻２４と内殻２５も、互いの各前縁部を接合しており、外殻２４の上下の両縁部と後縁部には、図１４、図１６及び図１７に示すように、それぞれ内側へほゞ直角の折曲部４１，４２，４３を形成し、内殻２５の後縁部に、図１７に示すように、同じく内側へほゞ直角の折曲部４４を形成している。
【００１８】
奥壁部１１ｅでは、外殻２７及び内殻２８の両内面に真空断熱パネル２９を貼着している。又、この奥壁部１１ｅの外殻２７の上下の両縁部には、図１３及び図１５に示すように、それぞれ内側へほゞ直角の折曲部４５，４６を形成している。
【００１９】
以上の構成をもとに、奥壁部１１ｅには左側壁部１１ｃ及び右側壁部１１ｄを組み付けている。この組み付けは、図１７に示すように、奥壁部１１ｅの外殻２７の左右両側の縁部２７ａ，２７ｂに、左側壁部１１ｃ及び右側壁部１１ｄの各外殻２１，２４の折曲部３９，４３を、それぞれシール材４７を介し重ねて、複数のねじ４８により締め付け結合し、奥壁部１１ｅの内殻２８の左右両側の縁部２８ａ，２８ｂに、左側壁部１１ｃ及び右側壁部１１ｄの各内殻２２，２５の折曲部４０，４４を重ねて、図示しない複数のねじ等により締め付け結合することで行っている。
【００２０】
次いで、上記奥壁部１１ｅと左側壁部１１ｃ及び右側壁部１１ｄの組成体に、底壁部１１ｂと天井壁部１１ａとを組み付けている。この組み付けは、奥壁部１１ｅに対する底壁部１１ｂの場合、図１５に示すように、底壁部１１ｂの外殻１８の後縁部１８ａを、奥壁部１１ｅの外殻２７の折曲部４６に重ねて図示しない複数のねじ等により締め付け結合し、内殻１９の斜状部３４の先端部を、奥壁部１１ｅの内殻２８の下縁部２８ｃにシール材４９を介し重ねて複数のねじ５０により締め付け結合することで行っている。
【００２１】
左側壁部１１ｃ及び右側壁部１１ｄに対する底壁部１１ｂの場合、図１６に示すように、底壁部１１ｂの外殻１８の左右の両側縁部１８ｂ，１８ｃを、左側壁部１１ｃ及び右側壁部１１ｄの各外殻２１，２４の折曲部３８，４２に重ねて図示しない複数のねじ等により締め付け結合し、内殻１９の斜状部３５，３６の先端部を、左側壁部１１ｃ及び右側壁部１１ｄの各内殻２２，２５の下縁部２２ａ，２５ａにシール材５１を重ねて複数のねじ５２により締め付け結合することで行っている。
【００２２】
奥壁部１１ｅに対する天井壁部１１ａの場合、図１３に示すように、天井壁部１１ａの外殻１４の後縁部１４ａを、奥壁部１１ｅの外殻２７の折曲部４５に重ねて図示しない複数のねじ等により締め付け結合し、内殻１５の斜状部３１の先端部を、奥壁部１１ｅの内殻２８の上縁部２８ｄにシール材５３を介し重ねて複数のねじ５４により締め付け結合することで行っている。
【００２３】
又、左側壁部１１ｃ及び右側壁部１１ｄに対する天井壁部１１ａの場合、図１４に示すように、天井壁部１１ａの外殻１４の左右の両側縁部１４ｂ，１４ｃを、左側壁部１１ｃ及び右側壁部１１ｄの各外殻２１，２４の折曲部３７，４１に重ねて図示しない複数のねじ等により締め付け結合し、内殻１５の斜状部３２，３３の先端部を、左側壁部１１ｃ及び右側壁部１１ｄの各内殻２２，２５の上縁部２２ｂ，２５ｂにシール材５５を介し重ねて複数のねじ５６により締め付け結合することで行っている。
【００２４】
そして、その後、天井壁部１１ａにおける内殻１５と前記真空断熱パネル１６との間の空間Ｓ1と、底壁部１１ｂにおける内殻１９と真空断熱パネル２０との間の空間Ｓ2に、それぞれ前記発泡断熱材１７を原液の状態で注入し発泡させて充填している。発泡断熱材１７は例えば発泡ポリウレタンである。
【００２５】
又、この場合、発泡断熱材１７は、真空断熱パネル１６と発泡断熱材１７とで充たされた天井壁部１１ａにおいては、図１４に示すように、内殻１５と真空断熱パネル１６との間の空間Ｓ1から、真空断熱パネル１６と左右両側壁部１１ｃ，１１ｄの真空断熱パネル２３，２６との端縁部相互間の隙間ｇ1，ｇ2にかけて充填していると共に、図１３に示すように、内殻１５と真空断熱パネル１６との間の空間Ｓ1から、真空断熱パネル１６と奥壁部１１ｅの真空断熱パネル２９との端縁部相互間（凹段部３０を含む屈曲部の空間）の隙間ｇ3にかけて充填している。
【００２６】
一方、発泡断熱材１７は、真空断熱パネル２０と発泡断熱材１７とで充たされた底壁部１１ｂにおいては、図１６に示すように、内殻１９と真空断熱パネル２０との間の空間Ｓ2から、真空断熱パネル２０と左右両側壁部１１ｃ，１１ｄの真空断熱パネル２３，２６との端縁部相互間の隙間ｇ4，ｇ5にかけて充填していると共に、図１５に示すように、内殻１９と真空断熱パネル２０との間の空間Ｓ2から、真空断熱パネル２０と奥壁部１１ｅの真空断熱パネル２９との端縁部相互間の隙間ｇ6にかけて充填している。
【００２７】
このほか、発泡断熱材１７は、図１７に示すように、奥壁部１１ｅの真空断熱パネル２９と、左右両側壁部１１ｃ，１１ｄの真空断熱パネル２３，２６との端縁部相互間の隙間ｇ7，ｇ8にも充填している。
更に、上記真空断熱パネル１６，２０，２３，２６，２９の端縁部相互間の部分には、それぞれ斜状部３１〜３６による空間Ｓ3〜Ｓ8が形成され、その空間Ｓ3〜Ｓ8にも発泡断熱材１７を充填している。
【００２８】
さて、図１は、如上のキャビネット本体１１を、より具体的に示しており、補強板５７，５８を組込むようにしている。補強板５７は、この場合、キャビネット本体１１の左側壁部１１ｃ及び右側壁部１１ｄの各前面部に添う一対のもので、縦方向である上下方向に延びる長尺状を成している。キャビネット本体１１の左側壁部１１ｃ及び右側壁部１１ｄの各前面部は、キャビネット本体１１の前記開口部１２の上側の角部を構成する上辺部と側辺部とのうちの側辺部であり、更には、同開口部１２の角部を構成する一方側の辺部と他方側の辺部とのうちの他方側の辺部である。
【００２９】
これに対して、補強板５８は、この場合、キャビネット本体１１の天井壁部１１ａの前面部に添う一対のもので、横方向である左右方向に延びる長尺状を成している。キャビネット本体１１の天井壁部１１ａの前面部は、キャビネット本体１１の前記開口部１２の上側の角部を構成する上辺部と側辺部とのうちの上辺部であり、更には、同開口部１２の角部を構成する一方側の辺部と他方側の辺部とのうちの一方側の辺部である。
【００３０】
補強板５７，５８は、図２及び図３に示すように、角部で、それら補強板５７，５８より幅広な三角形の接続部５９で一体化しており、詳細には、剛性に富む素材の鋼板からプレス機械で打ち抜き且つ成形することにより、接続部５９とも一体で、Ｌ字状に接続され、剛体化されている。更に、この補強板５７，５８には、ヒンジ固定板６０を一体化しており、これも詳細には、補強板５８の補強板５７側部分から後方へヒンジ固定板６０を延ばす形態で、該ヒンジ固定板６０も上記素材の鋼板からの打ち抜き成形により一体化している。
なお、これら補強板５７，５８と接続部５９及びヒンジ固定板６０は、別体で、それらを溶接等により一体化したものであっても良い。
【００３１】
又、補強板５８には、図１に示すように、キャビネット本体１１の開口部１２の上辺部の前面を構成する前面板６１を、２つの補強板５８の両前面に渡して溶接、接着、ねじ締め等の手段により一体化している。この前面板６１は、前記天井壁部１１ａの外殻１４の前面部を構成するものである。
【００３２】
如上の前面板６１、接続部５９、及びヒンジ固定板６０を含む補強板５７，５８については、図４に示すように、前記キャビネット本体１１の左側壁部１１ｃ及び右側壁部１１ｄの各前面部（開口部１２の側辺部）に、補強板５７を縦方向に挿入して内設している。図５は、その補強板５７の挿入した部分を示しており、キャビネット本体１１の左側壁部１１ｃ及び右側壁部１１ｄ（左側壁部１１ｃのみ図示）の各前面部の裏側に副補強板６２を取付けていて、この副補強板６２の更に裏側に補強板５７を縦方向に挿入して添わせている。副補強板６２は、例えば鋼板製で、キャビネット本体１１の左側壁部１１ｃ及び右側壁部１１ｄの各前面部のほゞ全長に渡る長尺状を成している。
【００３３】
又、この場合、副補強板６２のそれぞれ内外両側には、奥側への折曲部６２ａ，６２ｂを形成していて、この折曲部６２ａ，６２ｂ間に補強板５７を、挿入のための僅かな隙間ａ1，ａ2のみを余して位置させることにより、幅方向である左右方向に規制するようにしている。従って、副補強板６２の折曲部６２ａ，６２ｂは、補強板５７を幅方向に規制する規制部として機能するものである。
【００３４】
更に、キャビネット本体１１の天井壁部１１ａと、底壁部１１ｂ、左側壁部１１ｃ、及び右側壁部１１ｄにおいては、前記外殻１４，１８，２１，２４の各前端部と、内殻１５，１９，２２，２５の各前端部とを、詳細には、そのうちの左側壁部１１ｃ部分を図５で代表して示すように、内サッシ６３を介して接合しており、この内サッシ６３には、パイプホルダ６３ａを一体に形成し、このパイプホルダ６３ａの先端部で防露パイプ６４を保持している。なお、防露パイプ６４はキャビネット本体１１の前縁部の露付きを防止するためのものであり、このほか、キャビネット本体１１の左側壁部１１ｃと右側壁部１１ｄには、各外殻２１，２４と真空断熱パネル２３、２６との間に放熱パイプ６５を挟設している。放熱パイプ６５は、収納室１３の冷却に供する冷凍サイクルの凝縮器たるものであり、防露パイプ６４もその凝縮器の一部たるものである。
【００３５】
補強板５７，５８の角部である補強板５７の上部は、図４に示すように、キャビネット本体１１の左側壁部１１ｃ及び右側壁部１１ｄ（これも左側壁部１１ｃのみ図示）の各前面部に締結部品であるねじ６６によって締め付け結合、すなわち締結している。これのほか、補強板５７は他の部品と締結していない。なお、この場合、補強板５７は少なくとも先端部が他の部品と締結されていなければ良い。
【００３６】
加えて、キャビネット本体１１の天井壁部１１ａと左側壁部１１ｃ及び右側壁部１１ｄとが合わさる部分は、前記斜状部３２，３３及びそれらによる空間Ｓ4，Ｓ5に充填した発泡断熱材１７により他の部分より厚くなっていて、補強板５７，５８を一体化した接続部５９をその厚くなった部分（前記閉塞部３２ａ，３３ａの裏側）に内設している。
【００３７】
図６は、キャビネット本体１１の前面の開口部１２を回動により開閉する扉６７，６８を示している。この扉６７，６８は、この場合、キャビネット本体１１の内部（収納室１３）を仕切壁６９により仕切ってその上部に形成した例えば冷蔵室７０の前面開口部を観音開き式に開閉する左右の冷蔵室扉であり、キャビネット本体１１の最上部と仕切壁６９には、その扉６７，６８を枢支するヒンジ（図示省略）があって、そのヒンジを前記ヒンジ固定板６０で固定している。
【００３８】
なお、図４には、ヒンジ固定板６０を覆ってキャビネット本体１１の天井壁部１１ａの上面に被着した上面板７１を示しており、この上面板７１には、ヒンジ固定板６０が有する複数のヒンジ取付孔７２に対応してねじ等のヒンジ取付部品（図示せず）を挿通する孔７３を形成している。
【００３９】
図６には又、上記扉６７，６８の裏面部に周囲部に沿って矩形の枠状に形成した突部７４，７５を示しており、キャビネット本体１１が前述（図２２）のように変形したときには、その突部７４，７５の下端角部がキャビネット本体１１に接する。この突部７４，７５の下端角部がキャビネット本体１１に接するまでの寸法はｂ1であり、扉６７，６８（この場合、特には扉６８）の横幅はＬdである。これに対して、前記補強板５７が、副補強板６２の折曲部６２ａ，６２ｂとの間、すなわち、補強板５７の両側に位置した部品（両側部品）との間に、挿入のために余した隙間はａ1，ａ2（図５参照）であり、補強板５７，５８の長さはＬC（図４参照）である。
【００４０】
しかして、それらの間には下記の関係を定めている。
（ａ1＋ａ2）／ＬC  ＜  （ｂ1／Ｌd）  …式（１）
これは、要するに、キャビネット本体１１の開口部１２の側辺部に内設した補強板５７の、両側部品との隙間ａ1，ａ2を、扉６７，６８の突部７４、７５がキャビネット本体１１の変形でキャビネット本体１１の一部である仕切壁６９に接する寸法以下に定めているのである。なお、扉６７，６８の突部７４，７５は、キャビネット本体１１の収納室１３（冷蔵室７０）の冷気の漏れを防止するためのものであり、且つ、扉６７，６８の裏側に例えば複数段の収納部（いわゆるドアポケット）を形成するためのものでもある。
【００４１】
図７には、キャビネット本体１１が冷蔵庫用であることにより、冷凍サイクルのコンプレッサ７６を搭載した形態で示している。この場合、キャビネット本体１１のコンプレッサ７６搭載面は前記凹段部３０であり、すなわち、コンプレッサ７６はキャビネット本体１１の後上部に形成した凹段部３０上に搭載している。キャビネット本体１１の開口１２の側辺部に内設した補強板５７の先端部は、このキャビネット本体１１のコンプレッサ搭載面である凹段部３０よりも下方に位置している。
【００４２】
図７には又、キャビネット本体１１の収納室１３（冷蔵室７０）に複数段に配設される棚７７をも示しており、キャビネット本体１１の開口１２の側辺部に内設した補強板５７の先端部は、そのうちの最上段の棚７７よりも下方に位置している。
図７には更に、キャビネット本体１１の前面部に設けた野菜室扉７８や冷凍室扉７９をも示しており、キャビネット本体１１の収納室１３は、冷蔵室７０のほかに、それらの扉７８，７９によって前面の開口部が開閉される野菜室や冷凍室の別にも仕切っている。
【００４３】
そして、図１及び図８には、キャビネット本体１１の左側壁部１１ｃと右側壁部１１ｄの各内殻２２，２５の上下方向の中間部の内側に設けた補強板支え８０を示しており、いずれも前後方向に長く延びていて、この補強板支え８０の前後方向の中間部の相互間に図１２に示す補強板８１を架設している。
【００４４】
図８は、この補強板支え８０と補強板８１の取付構造を右側壁部１１ｄ側で代表して示しており、補強板支え８０は、断面形が例えばコ字形で、その中間部８０ａを左側壁部１１ｃと右側壁部１１ｄの各真空断熱パネル２３，２６に接着剤で貼着しており、上下の両部８０ｂ，８０ｃを左側壁部１１ｃと右側壁部１１ｄの各内殻２２，２５を通しキャビネット本体１１内に突出させて、上部８０ｂに補強板８１の両端部を載置してねじ８２により締め付け結合している。この構成で、補強板８１は、キャビネット本体１１の特には冷却時に左側壁部１１ｃと右側壁部１１ｄの各内殻２２，２５が収縮して左側壁部１１ｃと右側壁部１１ｄの全体が太鼓状に膨らみ変形するのを防止するようになっている。なお、補強板８１上には冷蔵室底壁８３を配置して上記ねじ８２により共締めしている。
【００４５】
このように上記構成の断熱キャビネットでは、前面に開口部１２を有し、内部にその開口部に連なる収納室１３を有するキャビネット本体１１と、このキャビネット本体１１の開口部１２の角部に、この角部を構成する一方側の辺部と他方側の辺部とに内設された補強板５７，５８と具備し、この補強板５７，５８を一体化して剛体化している。これにより、キャビネット本体１１の周壁の厚さが小さくても、開口部１２の角部を補強でき、特にはその角部の角度を頑強に保つことができて、その角部の角度が変化することによるキャビネット本体１１の変形を防止でき、使用に充分に耐え得る断熱キャビネットを提供できる。
【００４６】
又、上記構成の断熱キャビネットでは、キャビネット本体１１の開口部１２の角部を構成する一方側の辺部が上辺部であり、他方側の辺部が側辺部であって、そのうちの上辺部に内設した補強板５８を、上辺部の前面を構成する前面板６１に一体化している。これにより、キャビネット本体１１の上側における左右両側の補強板５７，５８を前面板６１により一体化できて、開口部１２の角部を一層頑強に補強でき、断熱キャビネットの変形の防止に、より効果がある。又、キャビネット本体１１の左側壁部１１ｃと右側壁部１１ｄの間隔の規制もより確実にできて、キャビネット本体１１の幅の精度を上げることができる。
【００４７】
更に、上記構成の断熱キャビネットでは、補強板５７，５８を、角部で、それら補強板５７，５８より幅広な接続部５９で一体化している。これにより、キャビネット本体１１の角度の変化に対する強度が増し、断熱キャビネットの変形の防止に、より効果を奏する。
【００４８】
そのほか、キャビネット本体１１の天井壁部１１ａと左右の両側壁部１１ｃ，１１ｄとが合わさる部分が、斜状部３２，３３及びそれらによる空間Ｓ4〜Ｓ5に充填した発泡断熱材１７により他の部分より厚くなっていて、補強板５７，５８を一体化した接続部５９をその厚くなった部分（閉塞部３２ａ，３３ａの裏側）に内設している。これにより、接続部５９が露出することが避けられ、見栄えを損なうことがない。又、その厚くなった部分に発泡断熱材１７を充填した上記構成のものでは、接続部５９をその発泡断熱材１７に埋没させて固定することができて、キャビネット本体１１の角度の変化に対する強度が増し、断熱キャビネットの変形の防止に、より効果を奏する。
【００４９】
又、補強板５７，５８の角部である補強板５７の上部を、キャビネット本体１１の左側壁部１１ｃ及び右側壁部１１ｄの各前面部に締結部品であるねじ６６によって締結している。これにより、補強板５７，５８の取付精度が高く得られ、断熱キャビネットの変形の防止に、より効果を奏する。
【００５０】
又、キャビネット本体１１の最上部に、キャビネット本体１１の開口部１２を回動により開閉する扉６７，６８を枢支するヒンジがあって、そのヒンジを固定するヒンジ固定板６０と補強板５７，５８を一体化している。これにより、扉６７，６８を枢支するのも補強板５７，５８で補強してでき、扉６７，６８の開閉精度が高く得られると共に、扉６７，６８の重量、特には開扉時の偏荷重によるキャビネット本体１１の変形の防止にも効果がある。
【００５１】
又、補強板５７の少なくとも先端部を他の部品と締結しておらず、規制部である副補強板６２の折曲部６２ａ，６２ｂによって幅方向に規制している。これにより、補強板５７をキャビネット本体１１に外方から挿入することで容易に組込むことができる。又、補強板５７の少なくとも先端部を他の部品と締結していないので、そこには締結部品がなくて、扉６７，６８の裏側周縁部に装着するガスケットとの密接度がより高く得られ、冷気の漏れを防止するシール効果も高く得ることができる。
【００５２】
又、その場合、規制部を、キャビネット本体１１の開口部１２の側辺部に取付けた副補強板６２に形成している。これにより、補強板５７の幅方向の規制が副補強板６２でより堅固にでき、補強板５７，５８によるキャビネット本体１１の補強効果を高めることができる。
【００５３】
又、キャビネット本体１１の開口部１２の側辺部に内設される補強板５７の、両側部品である副補強板６２の折曲部６２ａ，６２ｂとの隙間ａ1，ａ2を、キャビネット本体１１の開口部１２を回動により開閉する扉６７，６８がその裏側に有する突部７４，７５をキャビネット本体１１の変形でキャビネット本体１１に接させる寸法以下に定めている。これにより、キャビネット本体１１の変形で扉６７，６８が突部７４，７５をキャビネット本体１１に接させることのないようにできる。
【００５４】
又、キャビネット本体１１が冷蔵庫用であって、冷蔵庫で最も重い構造物である、冷凍サイクルのコンプレッサ７６をキャビネット本体１１の後上部に搭載している。これにより、断熱キャビネット全体の前後の重量バランスを補強版５７，５８とコンプレッサ７６とで良好に保ち得、例えば断熱キャビネット全体の後方への転倒など生じないようにできる。
【００５５】
又、キャビネット本体１１の開口部１２の側辺部に内設される補強板５７の先端部を、キャビネット本体１１の収納室１３に配設する最上段の棚７７より下方に位置するようにしている。これにより、棚７７に載せて収納室１３に配置する収納品の重量によるキャビネット本体１１の変形を補強板５７で支えて防止するのに、より効果がある。
【００５６】
又、キャビネット本体１１が冷蔵庫用であって、冷凍サイクルのコンプレッサ７６をキャビネット本体１１の後上部に搭載しており、キャビネット本体１１の開口部１２の側辺部に内設した補強板５７の先端部が、キャビネット本体１１のコンプレッサ搭載面（凹段部３０）より下方に位置するようにしている。これにより、冷蔵庫で最も重い構造物であるコンプレッサ７６の重量によるキャビネット本体１１の変形を補強板５７で支えて防止するのに、より効果がある。
【００５７】
又、キャビネット本体１１の左右の両側壁部１１ｃ，１１ｄに充填する断熱材を、真空断熱パネル２３，２６のみとしている。これにより、キャビネット本体１１の左右の両側壁部１１ｃ，１１ｄの厚さが小さくなって変形しやすくなるところ、それを補強板５７，５８で上述のように補強することができる。なお、キャビネット本体１１の左右の両側壁部１１ｃ，１１ｄは、断熱材を真空断熱パネル２３，２６のみとするのではなく、例えば発泡断熱材１７と合わせてほゞ真空断熱パネルのみとしても良い。又、これは奥壁部１１ｅも同様である。反対に、キャビネット本体１１の天井壁部１１ａ及び底壁部１１ｂは、断熱材を真空断熱パネル２３，２６のみとしても良い。
【００５８】
又、キャビネット本体１１を、天井壁部１１ａと、底壁部１１ｂ、左右の両側壁部１１ｃ，１１ｄ、及び奥壁部１１ｅの各壁部を分割して形成し、その各壁部を接合して組成している。これも、キャビネット本体１１が変形しやすくなるところ、それを補強板５７，５８で上述のように補強することができる。
【００５９】
以上に対して、図１８ないし図２１は第２ないし第５の実施形態を示すもので、それぞれ、第１の実施形態と同一の部分には同一の符号を付して説明を省略し、異なる部分についてのみ述べる。
【００６０】
［第２の実施形態］
図１８に示す第２の実施形態においては、キャビネット本体１１の開口部１２の角部を構成する一方側の辺部が下辺部であり、他方側の辺部が側辺部であって、補強板５７，５８をその両辺部に内設している。これにより、キャビネット本体１１の開口部１２の下側における左右両側の角部を補強でき、断熱キャビネットの変形の防止に効果がある。
【００６１】
又、この場合、キャビネット本体１１の左右両側壁部１１ｃと底壁部１１ｂとが合わさる部分が、斜状部３５，３６及びそれらによる空間Ｓ7，Ｓ8に充填した発泡断熱材１７により他の部分より厚くなっていて、その厚くなった部分（空間Ｓ7，Ｓ8の前面部を閉塞した三角形の閉塞部３５ａ，３６ａの裏側）に、補強板５７，５８を一体化した接続部５９を内設している。これにより、接続部５９が露出することが避けられ、見栄えを損なうことがない。又、その厚くなった部分に発泡断熱材１７を充填した上記構成のものでは、接続部５９をその発泡断熱材１７に埋没させて固定することができて、キャビネット本体１１の角度の変化に対する強度が増し、断熱キャビネットの変形の防止に、より効果を奏する。
なお、この構成は、第１の実施形態のいずれかの構成並びに次に述べる第３の実施形態の構成と併せて実施するようにしても良い。
【００６２】
［第３の実施形態］
図１９に示す第３の実施形態においては、キャビネット本体１１の開口部１２の側辺部に内設される補強板５７が、キャビネット本体１１の開口部１２の側辺部に縦方向に挿入して内設され、この内設された補強板５７の裏側に、補強板５７が奥側に動くのを規制する規制部９１が存在するようにしている。この規制部９１は、具体的には、例えば前記副補強板６２の外側の折曲部６２ａの一部を更に内側に切り起こして形成したものであり、これにより、補強板５７，５８をキャビネット本体１１の開口部１２の側辺部内の正規の位置に挿入して位置させることができ、補強効果を充分に発揮させることができる。又、キャビネット本体１１の左右両側壁部１１ｃ，１１ｄの真空断熱パネル２３，２６を特に挿入時の補強板５７，５８で傷付けてしまうのを防止するのにも有効である。
なお、この構成も、第１の実施形態のいずれかの構成や、第２の実施形態の構成、並びに次に述べる第４の実施形態の構成と併せて実施するようにしても良い。
【００６３】
［第４の実施形態］
図２０に示す第４の実施形態においては、補強板５７，５８を、２つの補強板５７に対して１つの補強板５８を一体化した形態でＴ字形に形成し、そのうちの１つの補強板５８を、前記仕切壁６９の前面部に内設し、残りの２つの補強板５７をキャビネット本体１１の左右両側壁部１１ｃ，右側壁部１１ｄの各前面部に内設している。
【００６４】
従って、この場合、仕切壁６９の前面部が、キャビネット本体１１の収納室１３の一部である冷蔵室７０の前面開口部の下側の角部を構成する下辺部と側辺部とのうちの下辺部であると共に、同じくキャビネット本体１１の収納室１３の一部である、冷蔵室７０下方の室１０１の前面開口部の上側の角部を構成する上辺部と側辺部とのうちの上辺部であり、更には、同両開口部の角部を構成する一方側の辺部と他方側の辺部とのうちの一方側の辺部である。又、左右両側壁部１１ｃ，１１ｄの各前面部は、上記冷蔵室７０の前面開口部の下側の角部を構成する下辺部と側辺部とのうちの側辺部であると共に、同じくキャビネット本体１１の収納室１３の一部である、冷蔵室７０下方の室１０１の前面開口部の上側の角部を構成する上辺部と側辺部とのうちの側辺部であり、更には、同両開口部の角部を構成する一方側の辺部と他方側の辺部とのうちの他方側の辺部である。
【００６５】
このようにすることで、キャビネット本体１１の変形を、部品（補強板５８）の共用化を図りつつ、更に効果的に防止することができる。
なお、この構成も、第１の実施形態のいずれかの構成や、第２、第３実施形態のいずれかの構成、並びに次に述べる第５の実施形態の構成と併せて実施するようにしても良い。
【００６６】
［第５の実施形態］
図２１に示す第５の実施形態においては、補強板５７，５８を、２つの補強板５７に対して２つの補強板５８を一体化した形態で矩形の枠状（口字形）に形成し、そのうちの補強板５８を、キャビネット本体１１の天井壁部１１ａの前面部と、底壁部１１ｂの前面部とに内設し、補強板５７をキャビネット本体１１の左右両側壁部１１ｃ，１１ｄの各前面部に内設している。
【００６７】
従って、この場合、天井壁部１１ａの前面部が、キャビネット本体１１の開口部１２の上側の角部を構成する上辺部と側辺部とのうちの上辺部であると共に、同開口部１２の角部を構成する一方側の辺部と他方側の辺部とのうちの一方側の辺部である。又、底壁部１１ｂの前面部は同開口部１２の下側の角部を構成する下辺部と側辺部とのうちの下辺部であると共に、同開口部１２の角部を構成する一方側の辺部と他方側の辺部とのうちの一方側の辺部である。そして、左右両側壁部１１ｃ，１１ｄの各前面部は、同開口部１２の上側の角部を構成する上辺部と側辺部とのうちの側辺部であると共に、同開口部１２の下側の角部を構成する下辺部と側辺部とのうちの側辺部であり、更には、同開口部１２の角部を構成する一方側の辺部と他方側の辺部とのうちの他方側の辺部である。
【００６８】
このようにすることでも、キャビネット本体１１の変形を更に効果的に防止することができる。
なお、この構成も、第１の実施形態のいずれかの構成や、第２ないし第４の実施形態のいずれかの構成と併せて実施するようにしても良い。
【００６９】
以上説明した断熱キャビネットは、上記実施形態にのみ限定されるものではなく、特に全体としては冷蔵庫の断熱キャビネット以外の、温蔵庫や冷凍ショーケースその他の恒温庫の断熱キャビネットとして使用できるなど、要旨を逸脱しない範囲内で適宜変更して実施し得る。又、特に左右両側壁部１１ｃ，１１ｄの厚さは３５〔ｍｍ〕以下の場合に有効であり、上記実施形態では、真空断熱パネル２３，２６の厚さはそれぞれほゞ２０〔ｍｍ〕で、外板相当の外殻２１，２４と内板相当の内殻２２，２５の各合計の厚さはそれぞれ１．５〔ｍｍ〕であり、その双方で左右両側壁部１１ｃ，１１ｄの厚さはそれぞれ２１．５〔ｍｍ〕であって、すなわち、左右両側壁部１１ｃ，１１ｄの厚さは更に有効な２５〔ｍｍ〕以下の厚さで構成している。
【００７０】
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００７１】
図面中、１１はキャビネット本体、１１ａは天井壁部、１１ｂは底壁部、１１ｃは左側壁部、１１ｄは右側壁部、１１ｅは奥壁部、１２は開口部、１３は収納室、１６，２０，２３，２６，２９は真空断熱パネル、３０は凹段部（コンプレッサ搭載面）、３２，３３，３５，３６は斜状部（厚くなった部分）、５７，５８は補強板、５９は接続部、６０はヒンジ固定板、６１は前面板（上辺部の前面）、６２は副補強板、６２ａ，６２ｂは折曲部（規制部）、ａ1，ａ2は隙間、ｂ1は寸法、６６はねじ（締結部品）、６７，６８は扉、７０は冷蔵室（収納室）、７４，７５は突部、７６はコンプレッサ、７７は棚、９１は規制部、１０１は冷蔵室下方の室（収納室）を示す。
【図１】
0006038446.tif 000002
【図２】
0006038446.tif 000003
【図３】
0006038446.tif 000004
【図４】
0006038446.tif 000005
【図５】
0006038446.tif 000006
【図６】
0006038446.tif 000007
【図７】
0006038446.tif 000008
【図８】
0006038446.tif 000009
【図９】
0006038446.tif 000010
【図１０】
0006038446.tif 000011
【図１１】
0006038446.tif 000012
【図１２】
0006038446.tif 000013
【図１３】
0006038446.tif 000014
【図１４】
0006038446.tif 000015
【図１５】
0006038446.tif 000016
【図１６】
0006038446.tif 000017
【図１７】
0006038446.tif 000018
【図１８】
0006038446.tif 000019
【図１９】
0006038446.tif 000020
【図２０】
0006038446.tif 000021
【図２１】
0006038446.tif 000022
【図２２】
0006038446.tif 000023